(57)【特許請求の範囲】
【請求項１】
第１の電話機と通信するための第１の通信手段と、
複数の第２の電話機と通信するための第２の通信手段と、
前記第１の通信手段が受信した情報に基づき、前記第１の電話機と通信する情報の種類に対応する種類情報を生成する生成手段と、
前記複数の第２の電話機のそれぞれに対応して、通信する情報の種類に応じた当該第２の電話機が有する機能を指す機能情報を記憶する記憶手段と、
前記複数の第２の電話機のそれぞれに対応して、旧来電話か否かを表わす情報を記憶する旧来記憶手段と、
制御手段と、を備え、
前記制御手段は、
生成された前記種類情報に基づき前記記憶手段を検索し、当該種類情報が指す情報の種類に応じた前記機能情報に対応する１つ以上の送信先の電話機を、前記複数の第２の電話機のうちから判断し、判断された前記１つ以上の送信先の電話機に対し、生成された前記種類情報を送信するように、前記第２の通信手段を制御し、さらに、
前記１つ以上の送信先の電話機が旧来電話であることを前記旧来記憶手段が記憶する情報が表わす場合、前記１つ以上の送信先の電話機に対し、前記種類情報の内容に対応する呼出信号を送信し、前記１つ以上の送信先の電話機が旧来電話でないことを前記旧来記憶手段が記憶する情報が表わす場合、前記１つ以上の送信先の電話機に対し、前記種類情報を送信するように、前記第２の通信手段を制御し、
前記第２電話機のそれぞれに対応の前記機能情報は、当該第２電話機が前記第２の通信手段に接続されるとき、または電源投入されるとき、当該第２の電話機から通知されて前記記憶手段に記憶される、中継装置。
【請求項２】
前記生成手段は、通信する情報の種類と発信元の電話番号とを表す前記第１の通信手段が受信した情報に基づいて、前記種類情報を生成するための手段を含む、請求項１に記載の中継装置。
【請求項３】
前記種類情報を生成するための手段は、前記第１の電話機と通信する情報の種類と発信元の電話番号とを表わす情報に基づいて、前記第１の電話機と通信する情報の種類に対応する文字列と当該発信元の電話番号とを表わす情報を生成するための手段を含む、請求項２に記載の中継装置。
【請求項４】
前記中継装置は、前記種類情報の送信の要否を表わす情報である要否情報をユーザが入力するための入力手段をさらに含み、
前記第２の通信手段を制御するための手段は、前記種類情報の送信が必要であることを前記要否情報が表わす場合、前記種類情報を送信するように、前記第２の通信手段を制御
するための手段を含む、請求項２に記載の中継装置。
【請求項５】
通信する情報に応じた前記第２の電話機が有する機能は、音声電話およびテレビ電話のいずれかの機能を表し、
前記制御手段は、
前記生成された種類情報が前記テレビ電話の情報を指すとき、前記複数の第２の電話機のうち、前記記憶手段の対応する前記機能情報が前記テレビ電話の機能を表す前記１つ以上の第２の電話機を判断し、判断した前記１つ以上の第２の電話機に対し、前記種類情報の内容に対応する呼出信号を送信するように、前記第２の通信手段を制御する、請求項１に記載の中継装置。
【請求項６】
音として情報を出力するスピーカと、
前記種類情報を音として出力するように、前記スピーカを制御するための手段と、をさらに備える、請求項１に記載の中継装置。
【請求項７】
画像として情報を表示する表示装置と、
前記種類情報を表示するように、前記表示装置を制御するための手段と、をさらに備える、請求項１に記載の中継装置。
【発明の詳細な説明】
【技術分野】
【０００１】
本発明は、中継装置、電話システム、中継プログラム、および中継プログラムを記録したコンピュータ読取り可能な記録媒体に関し、特に、テレビ電話の加入者が使用する中継装置、電話システム、中継プログラム、および中継プログラムを記録したコンピュータ読取り可能な記録媒体に関する。
【背景技術】
【０００２】
音声だけでなく映像も通信できるテレビ電話サービスが開始されている。特許文献１は、網インタフェースを行う回線制御インターフェイスと、相手先の個人情報を登録可能な情報記憶部と、音声データを登録可能な記憶部と、回線制御インターフェイスに送られて来る呼設定情報に基づいて相手先がテレビ電話からの発信なのか音声電話からの発信なのかを検出し、その検出結果に応じて記憶部から第１の音声データを読み出すと共に、その呼設定情報から相手先の電話番号を検出し、その相手先の電話番号が情報記憶部に登録されているか否かを照合し、その照合結果に応じて記憶部から第２の音声データを読み出すＣＰＵ（Central Processing Unit）と、ＣＰＵにより読み出された音声データを鳴動させる鳴動制御部と、鳴動制御部により生成された音声を出力する音声出力部とを備えた通信端末の呼び出し音鳴分け機能を開示する。
【０００３】
特許文献１に開示された発明によると、相手先の情報を分かりやすくするために、呼び出し音を情報に応じて組み合わせて順番に鳴り分けることにより、離れた場所からでも相手先を瞬時に確認できる。
【０００４】
特許文献１にかかる発明とは別に、ネットワークを使用したＩＰ（Internet Protocol）電話が普及しつつある。このＩＰ電話サービスに対応する装置として単体で使用可能な端末や、このＩＰ電話サービスを利用するための電話制御装置が存在する。このような電話制御装置には、ＩＰ電話サービス対応ルータやアダプタなどが含まれる。これらの電話制御装置は既存の旧来電話やＩＰ電話機を接続して利用するものである。
【特許文献１】特開２００３−２８９３４５号公報
【発明の開示】
【発明が解決しようとする課題】
【０００５】
前述の特許文献１に開示された発明では、相手からの電話を複数の電話機で受け得る場合についてほとんど想定されていないという問題点がある。特に相手からの電話がテレビ電話であって、その電話を複数の電話機で受け得る場合についてはまったく想定されていない。相手からの電話を複数の電話機で受け得る場合、ユーザはしばしばどの電話機で電話を受ければ良いか分らなくなる。
【０００６】
本発明は上述の問題点を解決するためになされたものであって、その目的は、相手からの電話を複数の電話機で受け得る場合にどの電話機で電話を受ければ良いか、ユーザが容易に判断できる中継装置、電話システム、中継プログラム、および中継プログラムを記録したコンピュータ読取り可能な記録媒体を提供することにある。
【課題を解決するための手段】
【０００７】
本発明のある局面に従うと、中継装置は、第１の通信手段と、出力手段とを含む。第１の通信手段は、第１の通信機と通信する。出力手段は、第１の通信手段が情報を受信すると、第１の電話機と通信する情報の種類に応じた情報を出力する。
【０００８】
また、上述の出力手段は、第２の通信手段と、生成手段と、制御手段とを含むことが望ましい。第２の通信手段は、複数の第２の電話機と通信する。生成手段は、第１の通信手段が受信した情報に基づいて、第１の電話機と通信する情報の種類に対応する情報である種類情報を生成する。制御手段は、複数の第２の電話機のいずれかである送信先の電話機に対し、種類情報を送信するように、第２の通信手段を制御する。
【０００９】
もしくは、上述の生成手段は、通信する情報の種類と電話番号とを表わす第１の通信手段が受信した情報に基づいて、種類情報を生成するための手段を含むことが望ましい。併せて、制御手段は、送信先の電話機に対し、第１の電話機の電話番号を表わす情報として、種類情報を送信するように、第２の通信手段を制御する。
【００１０】
もしくは、種類情報を生成するための手段は、第１の電話機と通信する情報の種類と電話番号とを表わす情報に基づいて、第１の電話機と通信する情報の種類に対応する文字列と電話番号とを表わす情報を生成するための手段を含むことが望ましい。
【００１１】
もしくは、上述の中継装置は、種類情報の送信の要否を表わす情報である要否情報をユーザが入力するための入力手段をさらに含むことが望ましい。併せて、第２の通信手段を制御するための手段は、種類情報の送信が必要であることを要否情報が表わす場合、第１の電話機の電話番号を表わす情報として、種類情報を送信するように、第２の通信手段を制御するための手段を含むことが望ましい。
【００１２】
もしくは、上述の中継装置は、第２の電話機ごとに、旧来電話か否かを表わす情報を記憶するための記憶手段をさらに含むことが望ましい。併せて、制御手段は、送信先の電話機が旧来電話であることを記憶手段が記憶する情報が表わす場合、送信先の電話機に対し、種類情報の内容に対応する呼出信号を送信するように、第２の通信手段を制御するための手段を含むことが望ましい。
【００１３】
また、上述の出力手段は、第２の通信手段と、記憶手段と、生成手段と、制御手段とを含むことが望ましい。第２の通信手段は、複数の第２の電話機と通信する。記憶手段は、第２の電話機ごとに、音声電話として動作するか否かを表わす情報を記憶する。生成手段は、第１の通信手段が受信した情報に基づいて、第１の電話機と通信する情報の種類に対応する情報である種類情報を生成する。制御手段は、複数の第２の電話機のいずれかである送信先の電話機が音声電話以外の電話機として動作する場合、送信先の電話機に対し、種類情報の内容に対応する呼出信号を送信するように、第２の通信手段を制御する。
【００１４】
もしくは、上述の記憶手段は、第２の電話機から第２の通信手段が受信した、音声電話として動作するか否かを表わす情報を記憶するための手段を含むことが望ましい。
【００１５】
また、上述の出力手段は、第２の通信手段と、スピーカと、生成手段と、第２の通信手段を制御するための手段と、スピーカを制御するための手段とを含むことが望ましい。第２の通信手段は、第２の電話機と通信する。スピーカは、音として情報を出力する。生成手段は、第１の通信手段が受信した情報に基づいて、第１の電話機と通信する情報の種類に対応する情報である種類情報を生成する。第２の通信手段を制御するための手段は、第２の電話機に対し、種類情報を送信するように、第２の通信手段を制御する。スピーカを制御するための手段は、種類情報を音として出力するように、スピーカを制御する。
【００１６】
また、上述の出力手段は、第２の通信手段と、表示装置と、生成手段と、第２の通信手段を制御するための手段と、表示装置を制御するための手段とを含むことが望ましい。第２の通信手段は、第２の電話機と通信する。表示装置は、画像として情報を表示する。生成手段は、第１の通信手段が受信した情報に基づいて、第１の電話機と通信する情報の種類に対応する情報である種類情報を生成する。第２の通信手段を制御するための手段は、第２の電話機に対し、種類情報を送信するように、第２の通信手段を制御する。表示装置を制御するための手段は、種類情報を表示するように、表示装置を制御する。
【００１７】
また、上述の出力手段は、第２の通信手段と、記憶手段と、スピーカと、生成手段と、第２の通信手段を制御するための手段と、スピーカを制御するための手段とを含むことが望ましい。第２の通信手段は、第２の電話機と通信する。記憶手段は、第２の電話機についての、音声電話として動作するか否かを表わす情報を記憶する。スピーカは、音として情報を出力する。生成手段は、第１の通信手段が受信した情報に基づいて、第１の電話機と通信する情報の種類に対応する情報である種類情報を生成する。第２の通信手段を制御するための手段は、第２の電話機が音声電話以外の電話機として動作する場合、第２の電話機に対し、種類情報の内容に対応する呼出信号を送信するように、第２の通信手段を制御する。スピーカを制御するための手段は、種類情報を音として出力するように、スピーカを制御する。
【００１８】
また、上述の出力手段は、第２の通信手段と、記憶手段と、表示装置と、生成手段と、第２の通信手段を制御するための手段と、表示装置を制御するための手段とを含むことが望ましい。第２の通信手段は、第２の電話機と通信する。記憶手段は、第２の電話機についての、音声電話として動作するか否かを表わす情報を記憶する。表示装置は、画像として情報を表示する。生成手段は、第１の通信手段が受信した情報に基づいて、第１の電話機と通信する情報の種類に対応する情報である種類情報を生成する。第２の通信手段を制御するための手段は、第２の電話機が音声電話以外の電話機として動作する場合、第２の電話機に対し、種類情報の内容に対応する呼出信号を送信するように、第２の通信手段を制御する。表示装置を制御するための手段は、種類情報を表示するように、表示装置を制御する。
【００１９】
本発明の他の局面に従うと、電話システムは、中継装置と複数の第２の電話機とを含む。中継装置は、第１の通信手段と、第２の通信手段と、生成手段と、制御手段とを含む。第１の通信手段は、第１の電話機と通信する。第２の通信手段は、複数の第２の電話機と通信する。生成手段は、第１の通信手段が受信した情報に基づいて、第１の電話機と通信する情報の種類に対応する情報である種類情報を生成する。制御手段は、複数の第２の電話機のいずれかである送信先の電話機に対し、種類情報を送信するように、第２の通信手段を制御する。
【００２０】
本発明の他の局面に従うと、電話システムは、中継装置と第２の電話機とを含む。中継装置は、第１の通信手段と、第２の通信手段と、スピーカと、生成手段と、第２の通信手段を制御するための手段と、スピーカを制御するための手段とを含む。第１の通信手段は、第１の電話機と通信する。第２の通信手段は、第２の電話機と通信する。スピーカは、音として情報を出力する。生成手段は、第１の通信手段が受信した情報に基づいて、第１の電話機と通信する情報の種類に対応する情報である種類情報を生成する。第２の通信手段を制御するための手段は、第２の電話機に対し、種類情報を送信するように、第２の通信手段を制御する。スピーカを制御するための手段は、種類情報を音として出力するように、スピーカを制御する。
【００２１】
本発明の他の局面に従うと、電話システムは、中継装置と第２の電話機とを含む。中継装置は、第１の通信手段と、第２の通信手段と、表示装置と、生成手段と、第２の通信手段を制御するための手段と、表示装置を制御するための手段とを含む。第１の通信手段は、第１の電話機と通信する。第２の通信手段は、第２の電話機と通信する。表示装置は、画像として情報を表示する。生成手段は、第１の通信手段が受信した情報に基づいて、第１の電話機と通信する情報の種類に対応する情報である種類情報を生成する。第２の通信手段を制御するための手段は、第２の電話機に対し、種類情報を送信するように、第２の通信手段を制御する。表示装置を制御するための手段は、種類情報を表示するように、表示装置を制御する。
【００２２】
本発明の他の局面に従うと、電話システムは、中継装置と複数の第２の電話機とを含む。中継装置は、第１の通信手段と、第２の通信手段と、記憶手段と、生成手段と、制御手段とを含む。第１の通信手段は、第１の電話機と通信する。第２の通信手段は、複数の第２の電話機と通信する。記憶手段は、第２の電話機ごとに、音声電話として動作するか否かを表わす情報を記憶する。生成手段は、第１の通信手段が受信した情報に基づいて、第１の電話機と通信する情報の種類に対応する情報である種類情報を生成する。制御手段は、複数の第２の電話機のいずれかである送信先の電話機が音声電話以外の電話機として動作する場合、送信先の電話機に対し、種類情報の内容に対応する呼出信号を送信するように、第２の通信手段を制御する。
【００２３】
本発明の他の局面に従うと、電話システムは、中継装置と第２の電話機とを含む。中継装置は、第１の通信手段と、第２の通信手段と、記憶手段と、スピーカと、生成手段と、第２の通信手段を制御するための手段と、スピーカを制御するための手段とを含む。第１の通信手段は、第１の電話機と通信する。第２の通信手段は、第２の電話機と通信する。記憶手段は、第２の電話機についての、音声電話として動作するか否かを表わす情報を記憶する。スピーカは、音として情報を出力する。生成手段は、第１の通信手段が受信した情報に基づいて、第１の電話機と通信する情報の種類に対応する情報である種類情報を生成する。第２の通信手段を制御するための手段は、第２の電話機が音声電話以外の電話機として動作する場合、第２の電話機に対し、種類情報の内容に対応する呼出信号を送信するように、第２の通信手段を制御する。スピーカを制御するための手段は、種類情報を音として出力するように、スピーカを制御する。
【００２４】
本発明の他の局面に従うと、電話システムは、中継装置と第２の電話機とを含む。中継装置は、第１の通信手段と、第２の通信手段と、記憶手段と、表示装置と、生成手段と、第２の通信手段を制御するための手段と、表示装置を制御するための手段とを含む。第１の通信手段は、第１の電話機と通信する。第２の通信手段は、第２の電話機と通信する。記憶手段は、第２の電話機についての、音声電話として動作するか否かを表わす情報を記憶する。表示装置は、画像として情報を表示する。生成手段は、第１の通信手段が受信した情報に基づいて、第１の電話機と通信する情報の種類に対応する情報である種類情報を生成する。第２の通信手段を制御するための手段は、第２の電話機が音声電話以外の電話機として動作する場合、第２の電話機に対し、種類情報の内容に対応する呼出信号を送信するように、第２の通信手段を制御する。表示装置を制御するための手段は、種類情報を表示するように、表示装置を制御する。
【００２５】
本発明の他の局面に従うと、中継プログラムは、第１の通信ステップと、出力ステップとを含む各ステップをコンピュータに実行させる。第１の通信ステップは、第１の電話機と通信する。出力ステップは、第１の通信ステップにおいて情報を受信すると、第１の電話機と通信する情報の種類に応じた情報を出力する。
【００２６】
本発明の他の局面に従うと、記録媒体は、中継プログラムを記録したコンピュータ読取り可能な記録媒体である。中継プログラムは、第１の通信ステップと、出力ステップとを含む各ステップをコンピュータに実行させる。第１の通信ステップは、第１の電話機と通信する。出力ステップは、第１の通信ステップにおいて情報を受信すると、第１の電話機と通信する情報の種類に応じた情報を出力する。
【発明の効果】
【００２７】
本発明に係る中継装置、電話システム、中継プログラム、および中継プログラムを記録したコンピュータ読取り可能な記録媒体は、相手からの電話を複数の電話機で受け得る場合にどの電話機で電話を受ければ良いか、ユーザが容易に判断できる。
【発明を実施するための最良の形態】
【００２８】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２９】
＜第１の実施の形態＞
以下、本発明の第１の実施の形態に係るＩＰ電話システムについて説明する。
【００３０】
図１は、本実施の形態に係るＩＰ電話システムの構成を表わす図である。図１を参照して、本実施の形態に係るＩＰ電話システムは、複数の電話機と、それらの端末に接続されるホームゲートウェイ２６とを含む。複数の電話機は、テレビ電話機２０と、音声電話機２２と、旧来電話機２４とに加え、図示しない電話機を含む。複数の電話機は、いずれも公衆網２９（本実施の形態の場合、公衆網２９の種類は特に限定されない。公衆網２９の例として、イントラネットのような専用ＩＰ網やインターネット網が含まれる）およびホームゲートウェイ２６を介して外部のテレビ電話機２７や音声電話機２８と通話する電話機である。なお、本発明の説明において、「旧来電話機」および「旧来電話」とは、ＩＰ以外の通信網を用いた通話が可能な電話機を意味する。ホームゲートウェイ２６は、本実施の形態に係るＩＰ電話システムを構成する各電話機と外部の電話機との通信を中継する中継装置である。
【００３１】
図２は、本実施の形態に係るホームゲートウェイ２６の機能ブロック図である。図２を参照して、本実施の形態に係るホームゲートウェイ２６は、ＷＡＮ（Wide Area Network）インターフェイス部３０と、ＷＡＮ制御部３２と、ＬＡＮ（Local Area Network）インターフェイス部３４と、ＬＡＮ制御部３６と、アナログインターフェイス部３８と、アナログ制御部４０と、操作部４２と、検出部４４と、メモリ４６と、データ制御部４８と、表示部５０と、表示制御部５２と、音出力部５４と、音制御部５６と、中央制御部５８と、メモリカード駆動装置５９とを含む。ＷＡＮインターフェイス部３０は、公衆網２９を介して外部の電話機と通信する。本実施の形態の場合、外部の電話機とは、テレビ電話機２７や音声電話機２８のことである。ＷＡＮ制御部３２は、ＷＡＮインターフェイス部３０と中央制御部５８との通信を中継する。ＷＡＮ制御部３２は、ＷＡＮインターフェイス部３５を制御する部分でもある。ＬＡＮインターフェイス部３４は、テレビ電話機２０および音声電話機２２と通信する。本実施の形態の場合、テレビ電話機２０および音声電話機２２はいずれもＩＰ電話である。ＬＡＮ制御部３６は、ＬＡＮインターフェイス部３４と中央制御部５８との通信を中継する。ＬＡＮ制御部３６はＬＡＮインターフェイス部３４を制御する部分でもある。アナログインターフェイス部３８は、旧来電話機２４と通信する。これにより、ＬＡＮインターフェイス部３４およびアナログインターフェイス部３８が、複数の電話機と通信する通信装置を構成することとなる。アナログ制御部４０は、アナログインターフェイス部３８と中央制御部５８との通信を中継する。アナログ制御部４０は、アナログインターフェイス部３８を制御する部分でもある。操作部４２は、操作によりユーザが指令や情報を入力する部分である。検出部４４は、操作部４２に対するユーザの指令を検出する部分である。メモリ４６は情報を記憶する。データ制御部４８は、メモリ４６に対する情報の書込とメモリ４６からの情報の読出とを実施する部分である。表示部５０は搭載するディスプレイにより画像として情報を表示する表示装置である。表示部５０は搭載するランプによりユーザに対する通知を実施する部分でもある。表示制御部５２は、表示部５０に対し中央制御部５８からの情報を中継する。表示制御部５２は、中央制御部５８の制御に応じて表示部５０を制御する部分でもある。音出力部５４は、スピーカを含むことにより、音として情報を出力する部分である。音制御部５６は、音出力部５４に対し、中央制御部５８が出力した情報を中継する部分である。音制御部５６は、音出力部５４を制御する部分でもある。中央制御部５８は、本実施の形態に係るホームゲートウェイ２６の各部を制御する部分である。メモリカード駆動装置５９は、メモリカード２００から、プログラムを読取る装置である。
【００３２】
メモリ４６は、能力管理テーブル６０を記憶する。能力管理テーブル６０は、上述した複数の電話機がそれぞれ音声電話か否かを表わす情報などを記憶するデータテーブルである。
【００３３】
中央制御部５８は、判断部６２を含む。判断部６２は、テレビ電話機２７や音声電話機２８が音声電話か否かを判断する部分である。
【００３４】
本実施の形態に係るホームゲートウェイ２６は、ホームゲートウェイ２６のハードウェアと中央制御部５８により実行されるソフトウェアとにより実現される。一般的にこうしたソフトウェアは、メモリカード２００などの記録媒体に格納されて流通し、メモリカード駆動装置５９などにより記録媒体から読取られて一旦メモリ４６などに格納される。さらに上述した中央制御部５８により実行される。上述したホームゲートウェイ２６のハードウェア自体は一般的なものである。したがって、本発明の最も本質的な部分は、メモリカード２００などの記録媒体に記録されたプログラムとなる。なお、ホームゲートウェイ２６自体の動作は周知であるので、ここではその詳細な説明は繰返さない。
【００３５】
図３を参照して、ホームゲートウェイ２６で実行されるプログラムは、種類の通知に関し、以下のような制御を実行する。
【００３６】
ステップＳ７０にて、データ制御部４８は、中央制御部５８の制御に応じて、メモリ４６に、着呼が可能な電話機の数を記憶させる。メモリ４６は、変数ｄａｉｓｕの値として、その数を記憶する。本実施の形態の場合、その数と上述した複数の電話機の数とは一致する。
【００３７】
ステップＳ７２にて、ＷＡＮインターフェイス部３０は着信情報を受信する。ＷＡＮインターフェイス部３０は、ＷＡＮ制御部３２を介して、受信した着信情報を中央制御部５８に出力する。ステップＳ７４にて、中央制御部５８の判断部６２は、メディア情報に基づき、発信元の電話機が送信する情報の種類を読出す。
【００３８】
図４は、本実施の形態におけるＷＡＮインターフェイス部３０とＬＡＮインターフェイス部３４とがそれぞれ通信に用いるパケットのフォーマットを表わす図である。本実施の形態の場合、それらのパケットは、いずれもＳＩＰ（Session Initiation Protocol）とＳＤＰ（Session Description Protocol）あるいはＲＴＰ（Real-time Transport Protocol）とに則って情報を通信する。ＳＩＰあるいはＳＤＰに則って情報を通信する場合、それらのパケットは、いずれも、データリンク層ヘッダ６４と、ＩＰヘッダ６５と、ＵＤＰヘッダ６６と、ＳＩＰデータ６７とを含む。データリンク層ヘッダ６４は、ＬＡＮ内あるいはＷＡＮ内でＬＡＮインターフェイスデバイスを通してパケットを通信するためのデータである。ＩＰヘッダ６５は、データの送信先を規定するデータである。ＵＤＰヘッダ６６は、通信ポートを規定するデータである。ＳＩＰデータ６７は、ＳＩＰとＳＤＰとに則った各種のデータである。なお、ＲＴＰに則って情報を通信する場合のパケットのフォーマットは周知なので、ここではそのフォーマットは説明されない。
【００３９】
ＳＩＰは、テキストベースでやりとりされる、通信プロトコルである。ＳＩＰは、一連の通信の開始や終了に関与するプロトコルでもある。ＳＩＰの特徴は、「メソッド」という制御用の指令と「レスポンス」と呼ばれる返信とにある。図５は、メソッドの一例を表わす図である。図６は、レスポンスの意味を表わす図である。ＳＩＰに則って通信されるデータには、発信元の電話番号も含まれる。
【００４０】
ＳＤＰとは、ＳＩＰのメソッドやレスポンスに情報を付加することにより、ＳＩＰと協調して動作するプロトコルである。ＳＤＰは、音楽や映像などのマルチメディア・データをどのような方式でどのようにやりとりするかを規定するプロトコルでもある。メソッドやレスポンスに付加する情報は、セッションに関する情報である。「セッション」は、一連の通信として他の通信と区別できる、通信のグループを表わす単位である。「セッションに関する情報」には、各セッションを識別するための時間、セッションの有効時間、あるいは１つのセッションにおいて通信されるメディアの種別の情報が含まれる。図７は、セッションに関する情報の代表的な冒頭部分を表わす図である。
【００４１】
図７に示すように、ＳＤＰにおいて、メディアの種別の情報すなわちメディア情報は、「ｍ＝」で始まる文字列に含まれる。「ｍ＝」で始まる文字列は、メディアの種別、ポート番号、トランスポート・プロトコル、およびメディア・フォーマット・リストを表わす。ＳＤＰの場合、メディアの種別は、「ａｕｄｉｏ」、「ｖｉｄｅｏ」、「ａｐｐｌｉｃａｔｉｏｎ」、「ｄａｔａ」、あるいは「ｃｏｎｔｒｏｌ」のいずれかの文字列で表わされる。ただし、本実施の形態の場合、通信されるパケットが含むデータのメディアの種別は、必ず「ａｕｄｉｏ」および「ｖｉｄｅｏ」のいずれかを含む。ポート番号は、メディアを受信するポート番号を表わす。トランスポート・プロトコルは、パケットのフォーマットを表わす。トランスポート・プロトコルは、「ＲＴＰ／ＡＶＰ」あるいは「ｕｄｐ」のいずれかの文字列で表わされる。「ＲＴＰ／ＡＶＰ」は、ＲＦＣ（Request For Comments）１８９０に従ったＲＴＰパケットを使用する場合に含まれる。「ｕｄｐ」は、それ以外の形式のパケットを使用する場合に含まれる。メディア・フォーマット・リストは、ＲＦＣ１８９０において定義されているペイロードのタイプを表わす。ペイロードのタイプは、符号化の方式の名称と、クロック速度と、チャンネル数とを表わす。図８は、「ｍ＝」で始まる文字列が表わす情報の図である。
【００４２】
ＲＴＰに則ったパケットの属性は、「ａ＝ｒｔｐｍａｐ：」で始まる文字列に含まれる。「ａ＝ｒｔｐｍａｐ：」で始まる文字列は、ペイロード・タイプと、符号化方式の名称またはクロック速度とを表わす。図９は、「ａ＝ｒｔｐｍａｐ：」で始まる文字列が表わす情報のフォーマットを表わす図である。
【００４３】
メディアに固有のパラメータは、「ａ＝ｆｍｔｐ：」で始まる文字列に含まれる。「ａ＝ｆｍｔｐ：」で始まる文字列は、フォーマットのペイロード・タイプと、フォーマットで指定したメディアで使用するパラメータとを表わす。図１０は、「ａ＝ｆｍｔｐ：」で始まる文字列が表わす情報のフォーマットを表わす図である。
【００４４】
ステップＳ７６にて、判断部６２は、メディア情報が「ｖｉｄｅｏ」を含むか否かを判断する。メディア情報が「ｖｉｄｅｏ」を含むと判断した場合（ステップＳ７６にてＹＥＳ）、処理はステップＳ７８へと移される。もしそうでないと（ステップＳ７６にてＮＯ）、処理はステップＳ８０へと移される。
【００４５】
ステップＳ７８にて、データ制御部４８は、中央制御部５８の制御に応じて、メモリ４６に発信元の電話の種類がテレビ電話であることを表わす値を記憶させる。本実施の形態の場合、メモリ４６は、発信元の電話機を表わす情報を、変数ｔｅｌ＿ｉｎｆｏの値として記憶する。本実施の形態の場合、発信元の電話の種類がテレビ電話であることを表わす値は、「１」である。
【００４６】
ステップＳ８０にて、データ制御部４８は、中央制御部５８の制御により、メモリ４６に対し、発信元の電話機の種類が音声電話であることを表わす値（発信元の電話機と通信する情報に映像の情報が含まれないことを表わす値）を記憶させる。メモリ４６は、その情報を、変数ｔｅｌ＿ｉｎｆｏの値として記憶する。本実施の形態の場合、発信元の電話の種類が音声電話であることを表わす値は、「０」である。ステップＳ７６と、ステップＳ７８と、ステップＳ８０とにより、中央制御部５８は、ＷＡＮインターフェイス部３０が受信した情報に基づいて、発信元の電話機と通信する情報の種類に対応する情報を生成することとなる。
【００４７】
ステップＳ８２にて、データ制御部４８は、中央制御部５８の制御に応じて、メモリ４６に変数ｃｏｕｎｔの値として「１」を記憶させる。
【００４８】
ステップＳ８４にて、データ制御部４８は、中央制御部５８の制御に応じて、メモリ４６から変数ｃｏｕｎｔと変数ｄａｉｓｕとの値を読出す。データ制御部４８は、メモリ４６から読出した値を中央制御部５８に出力する。中央制御部５８の判断部６２は、変数ｃｏｕｎｔの値が変数ｄａｉｓｕの値より大きいか否かを判断する。変数ｃｏｕｎｔの値が変数ｄａｉｓｕの値より大きいと判断した場合（ステップＳ８４にてＹＥＳ）、処理を終了する。もしそうでないと（ステップＳ８４にてＮＯ）、処理はステップＳ８６へと移される。
【００４９】
ステップＳ８６にて、ＬＡＮインターフェイス部３４あるいはアナログインターフェイス部３８は、ＬＡＮ制御部３６あるいはアナログ制御部４０の制御に応じて、各々が接続された電話機のうち変数ｃｏｕｎｔに対応する電話機に対し、変数ｔｅｌ＿ｉｎｆｏの値を送信する。これにより、ＬＡＮ制御部３６およびアナログ制御部４０からなる装置の集合体が、本実施の形態に係るＩＰ電話システムを構成する複数の電話機のいずれかに対し、発信元の電話機と通信する情報の種類に対応する情報を送信するように、ＬＡＮインターフェイス部３４およびアナログインターフェイス部３８を制御することとなる。
【００５０】
ステップＳ８８にて、データ制御部４８は、中央制御部５８の制御に応じて、メモリ４６が記憶する変数ｃｏｕｎｔの値を「１」増加させる。
【００５１】
以上のような構造およびフローチャートに基づく、ＩＰ電話システムの動作について説明する。
【００５２】
［テレビ電話からの発信があった場合］
データ制御部４８は、中央制御部５８の制御に応じて、メモリ４６に、着呼が可能な電話機の数を記憶させる（ステップＳ７０）。
【００５３】
電話機の数が記憶された後、発信元の電話機から本実施の形態にかかるＩＰ電話システムに対する発呼があったとする。ＷＡＮインターフェイス部３０は着信情報を受信する（ステップＳ７２）。図１１は、１セッションの通話におけるパケットのやり取りを表わす図である。図１１の「ＩＮＶＩＴＥ（＋ＳＤＰ）」は発信元の電話機からＷＡＮインターフェイス部３０への着信情報の通信を表わす。着信情報が受信されると、中央制御部５８の判断部６２は、メディア情報に基づき、発信元の電話機が送信する情報の種類を読出す（ステップＳ７４）。
【００５４】
情報の種類が読出されると、判断部６２は、メディア情報が「ｖｉｄｅｏ」を含むか否かを判断する（ステップＳ７６）。テレビ電話からの発信があった場合、判断部６２は、メディア情報が「ｖｉｄｅｏ」を含むと判断するので（ステップＳ７６にてＹＥＳ）、データ制御部４８は、中央制御部５８の制御に応じて、メモリ４６に発信元の電話の種類がテレビ電話であることを表わす値を記憶させる（ステップＳ７８）。値が記憶されると、データ制御部４８は、中央制御部５８の制御に応じて、メモリ４６に変数ｃｏｕｎｔの値として「１」を記憶させる（ステップＳ８２）。
【００５５】
変数ｃｏｕｎｔの値が記憶されると、中央制御部５８の判断部６２は、変数ｃｏｕｎｔの値が変数ｄａｉｓｕの値より大きいか否かを判断する（ステップＳ８４）。この場合、変数ｃｏｕｎｔの値は変数ｄａｉｓｕの値以下なので（ステップＳ８４にてＮＯ）、ＬＡＮインターフェイス部３４あるいはアナログインターフェイス部３８は、ＬＡＮ制御部３６あるいはアナログ制御部４０の制御に応じて、各々が接続された電話機のうち変数ｃｏｕｎｔに対応する電話機に対し、変数ｔｅｌ＿ｉｎｆｏの値を送信する（ステップＳ８６）。変数ｔｅｌ＿ｉｎｆｏの値が送信されるので、変数ｃｏｕｎｔに対応する電話機は、送信元の電話機がテレビ電話であることをユーザに通知できる。
【００５６】
値が送信されると、データ制御部４８は、中央制御部５８の制御に応じて、メモリ４６が記憶する変数ｃｏｕｎｔの値を「１」増加させる（ステップＳ８８）。その後、ステップＳ８４〜ステップＳ８８の処理が繰返された後、変数ｃｏｕｎｔの値が変数ｄａｉｓｕの値を超えると（ステップＳ８４にてＹＥＳ）、電話機の種類（厳密には電話機同士で通信する情報の種類）を通知するための処理は終了する。その後、図１１に示す通信が継続される。
【００５７】
［音声電話からの発信があった場合］
ステップＳ７４までの処理を経て、判断部６２は、メディア情報が「ｖｉｄｅｏ」を含むか否かを判断する（ステップＳ７６）。この場合、メディア情報が「ｖｉｄｅｏ」を含まないと判断するので（ステップＳ７６にてＮＯ）、データ制御部４８は、中央制御部５８の制御により、メモリ４６に対し、発信元の電話機の種類が音声電話であることを表わす値を記憶させる（ステップＳ８０）。
【００５８】
値が記憶されると、ステップＳ８２〜ステップＳ８４の処理を経て、ＬＡＮインターフェイス部３４あるいはアナログインターフェイス部３８は、ＬＡＮ制御部３６あるいはアナログ制御部４０の制御に応じて、各々が接続された電話機のうち変数ｃｏｕｎｔに対応する電話機に対し、変数ｔｅｌ＿ｉｎｆｏの値を送信する（ステップＳ８６）。これにより、ＬＡＮインターフェイス部３４と、ＬＡＮ制御部３６と、アナログインターフェイス部３８と、アナログ制御部４０と、データ制御部４８とからなる装置は、ＷＡＮインターフェイス部３０が情報を受信すると、発信元の電話機と通信する情報の種類に応じた情報を出力することとなる。ｃｏｕｎｔに対応する電話機は、変数ｔｅｌ＿ｉｎｆｏの値が送信されるので、送信元の電話機が音声電話であることをユーザに通知できる。
【００５９】
以上のようにして、本実施の形態に係るホームゲートウェイは、発信元の電話機がテレビ電話か音声電話か（厳密にはテレビ電話として動作するか音声電話として動作するか）を電話機に通知することができる。それが通知されるので、電話を受ける各電話機は発信元の電話機の種類（厳密にはテレビ電話として動作するか音声電話として動作するか）をユーザに通知することができる。電話機の種類をユーザに通知するための具体的な方法の例には、受信した情報に応じて予め搭載したランプを点灯させる方法がある。電話機の種類をユーザに通知するための具体的な方法は、これ以外の方法でもよい。そのような種類の情報がユーザに通知されるので、相手からの電話を複数の電話機で受け得る場合にどの電話機で電話を受ければよいか、ユーザが容易に判断できる。テレビ電話からの着信を音声電話で応答してしまうことにより音声のみが通話されてしまう問題や、テレビ電話から着信した場合に見せたくない映像が映ってしまう問題を回避できる。
【００６０】
なお、変形例として、ホームゲートウェイ２６は、表示部５０のランプにより（この場合、表示部５０はランプを含むこととする）、送信元の電話機がテレビ電話か音声電話かをユーザに通知してもよい。ホームゲートウェイ２６は、表示部５０のランプに代え、あるいは表示部５０のランプと共に、音出力部５４の出力により、送信元の電話機がテレビ電話か音声電話かをユーザに通知してもよい。これにより、たとえばテレビ電話が着信した場合に、ユーザが誤ってテレビ電話のできない、音声通話のみ可能な電話機で着信してしまうのを防止できる。
【００６１】
また、ＬＡＮインターフェイス部３４が通信時に従う規格は特に限定されない。ＬＡＮインターフェイス部３４が従い得る規格には、イーサネット（登録商標）のほか、ＩＥＥＥ８０２．１１ａ、ＩＥＥＥ８０２．１１ｂ／１１ｇが含まれる。
【００６２】
また、ホームゲートウェイ２６は、電話機の一部であってもよい。この場合、上述したＩＰ電話システムは、少なくとも１台の電話機と、ホームゲートウェイ２６を有する電話機とを含むこととなる。ホームゲートウェイ２６の表示部５０と音出力部５４とは、それぞれ電話機の一部として動作することとなる。この場合、ＬＡＮ制御部３６とアナログ制御部４０とからなる部分の集合体が、本実施の形態に係るＩＰ電話システムを構成する電話機に対し、発信元の電話機と通信する情報の種類に対応する情報を送信するように、ＬＡＮインターフェイス部３４およびアナログインターフェイス部３８を制御することとなる。併せて、中央制御部５８が、発信元の電話機と通信する情報の種類に対応する情報を音声として出力するように、スピーカをはじめとする音出力部５４を制御したり、中央制御部５８が、発信元の電話機と通信する情報の種類に対応する情報を表示するように、表示部５０を制御したりすることとなる。
【００６３】
＜第２の実施の形態＞
以下、本発明の第２の実施の形態に係るＩＰ電話システムについて説明する。
【００６４】
本実施の形態に係るＩＰ電話システムを構成する各装置のハードウェア構成は前述の第１の実施の形態と同じである。それらについての機能も同じである。したがって、それらについての詳細な説明はここでは繰返さない。
【００６５】
図１２を参照して、ホームゲートウェイ２６で実行されるプログラムは、着信についての設定に関し、以下のような制御を実行する。
【００６６】
ステップＳ９０にて、検出部４４が操作部４２に対するユーザの操作を検出すると、検出部４４は、中央制御部５８に対し、ユーザが操作部４２に対してした操作の内容を表わす情報を出力する。中央制御部５８は、「テレビ電話専用着信設定」を起動する。「テレビ電話専用着信設定」の起動とは、外部のテレビ電話機２７から発信があった場合、ＩＰ電話システムを構成する電話機のうちテレビ電話機２０のみが電話を受けることができるように、ホームゲートウェイ２６を構成する各部を中央制御部５８が制御することを意味する。
【００６７】
ステップＳ９２にて、表示制御部５２は、中央制御部５８の制御により、テレビ電話専用着信機能を有効にするか無効にするかを設定するための画像を表示部５０に表示させる。
【００６８】
ステップＳ９４にて、検出部４４は、操作部４２に対するユーザの操作を検出すると、ユーザの操作の内容を表わす情報を中央制御部５８に出力する。中央制御部５８は検出部４４が出力した情報の内容に対応する情報をメモリ４６に記憶させる。このステップの場合、メモリ４６が記憶する情報は、テレビ電話専用着信機能が有効か否かを表わす情報である。
【００６９】
図１３を参照して、ホームゲートウェイ２６で実行されるプログラムは、呼出信号の送出に関し、以下のような制御を実行する。なお、図１３に示すフローチャートの中で、前述の図３に示した処理は同じステップ番号を付してある。それらの処理も同じである。したがって、それらについての詳細な説明はここでは繰返さない。
【００７０】
ステップＳ１００にて、ＬＡＮインターフェイス部３４とアナログインターフェイス部３８とは、本実施の形態に係るＩＰ電話システムを構成する複数の電話機から、各電話機の機能を表わす情報を受信する。各電話機の機能を表わす情報は、音声電話として動作するか否かを表わす情報でもある。本実施の形態に限れば、「各電話機の機能を表わす情報」は、音声電話として動作するかテレビ電話として動作するかを表わす。ＬＡＮインターフェイス部３４とアナログインターフェイス部３８とは、受信した情報を中央制御部５８に出力する。
【００７１】
ステップＳ１０２にて、中央制御部５８は、データ制御部４８を介して、ＬＡＮインターフェイス部３４とアナログインターフェイス部３８とが受信した情報をメモリ４６に記憶させる。これらの情報は、能力管理テーブル６０の一部として記憶される。これにより、メモリ４６は、本実施の形態に係るＩＰ電話システムを構成する複数の電話機ごとに、音声電話として動作するか否かを表わす情報を記憶することとなる。併せて、データ制御部４８は、中央制御部５８の制御に応じ、外部からの発信を受けることができる電話機の数をメモリ４６に記憶させる。
【００７２】
ステップＳ１０３にて、データ制御部４８は、中央制御部５８の制御に応じて、メモリ４６から変数ｃｏｕｎｔと変数ｄａｉｓｕとの値を読出す。データ制御部４８は、メモリ４６から読出した値を中央制御部５８に出力する。中央制御部５８の判断部６２は、変数ｃｏｕｎｔの値が変数ｄａｉｓｕの値より大きいか否かを判断する。変数ｃｏｕｎｔの値が変数ｄａｉｓｕの値より大きいと判断した場合（ステップＳ１０３にてＹＥＳ）、処理を終了する。もしそうでないと（ステップＳ１０３にてＮＯ）、処理はステップＳ１０４へと移される。
【００７３】
ステップＳ１０４にて、判断部６２は、メモリ４６が記憶した情報ｔｅｌ＿ｉｎｆｏの値が「テレビ電話」を表わす値か否かを判断する。情報ｔｅｌ＿ｉｎｆｏの値が「テレビ電話」を表わす値と判断した場合には（ステップＳ１０４にてＹＥＳ）、処理はステップＳ１０５へと移される。もしそうでないと（ステップＳ１０４にてＮＯ）、処理はステップＳ１０６へと移される。
【００７４】
ステップＳ１０５にて、判断部６２は、テレビ電話専用着信機能が有効か否かを判断する。判断部６２は、メモリ４６が記憶した情報に基づき、テレビ電話専用着信機能が有効か否かを判断する。テレビ電話専用着信機能が有効と判断した場合には（ステップＳ１０５にてＹＥＳ）、処理はステップＳ１０７へと移される。もしそうでないと（ステップＳ１０５にてＮＯ）、処理はステップＳ１０６へと移される。
【００７５】
ステップＳ１０６にてＬＡＮインターフェイス部３４またはアナログインターフェイス部３８は、ＬＡＮ制御部３６またはアナログ制御部４０の制御に応じて、呼出信号を送信する。本実施の形態の場合、呼出信号の種類は、変数ｔｅｌ＿ｉｎｆｏの値に対応する。
【００７６】
ステップＳ１０７にて、判断部６２は、変数ｃｏｕｎｔの値に対応する電話機にテレビ電話としての機能があるか否かを判断する。判断部６２は、能力管理テーブル６０に基づき、変数ｃｏｕｎｔの値に対応する電話機にテレビ電話としての機能があるか否かを判断する。テレビ電話としての機能があると判断した場合には（ステップＳ１０７にてＹＥＳ）、処理はステップＳ１０６へと移される。もしそうでないと（ステップＳ１０７にてＮＯ）、処理はステップＳ８８へと移される。
【００７７】
以上のような構造およびフローチャートに基づく、ホームゲートウェイ２６の動作について説明する。
【００７８】
検出部４４が操作部４２に対するユーザの操作を検出すると、中央制御部５８は、「テレビ電話専用着信設定」を起動する（ステップＳ９０）。「テレビ電話専用着信設定」が起動されると、表示制御部５２は、中央制御部５８の制御により、テレビ電話専用着信機能を有効にするか無効にするかを設定するための画像を表示部５０に表示させる（ステップＳ９２）。図１４は、表示部５０が表示した画像を表わす図である。
【００７９】
画像が表示されると、検出部４４は操作部４２に対するユーザの操作を検出する。ユーザの操作が検出されると、検出部４４はユーザの操作の内容を表わす情報を中央制御部５８に出力する。中央制御部５８は検出部４４が出力した情報の内容に対応するデータをメモリ４６に記憶させる（ステップＳ９４）。この場合、図１４に示すように、テレビ電話専用着信機能を有効とするような操作があったため、テレビ電話専用着信機能が有効であることを表わす情報が記憶されたこととする。
【００８０】
データが記憶された後（メモリ４６が適当な初期値を記憶していた場合はステップＳ９０からステップＳ９４までの処理は不要であるが、この場合はメモリ４６がそのような初期値を記憶していないこととする）、ＬＡＮインターフェイス部３４とアナログインターフェイス部３８とは、ＩＰ電話システムを構成する複数の電話機から、各電話機の機能を表わす情報を受信する。ＬＡＮインターフェイス部３４とアナログインターフェイス部３８とは、受信した情報を中央制御部５８に出力する（ステップＳ１００）。情報が出力されると、データ制御部４８は、中央制御部５８の制御に応じて、種別情報と外部からの発信を受けることができる電話機の数とをメモリ４６に記憶させる（ステップＳ１０２）。「種別情報」とは、電話機が備える機能を表わす情報のことである。図１５は、このステップにてメモリ４６が記憶した種別情報を表わす図である。
【００８１】
情報などが記憶されると、ステップＳ７２〜ステップＳ８２の処理を経て、判断部６２は、変数ｃｏｕｎｔの値が変数ｄａｉｓｕの値より大きいか否かを判断する（ステップＳ１０３）。まだ変数ｃｏｕｎｔの値が変数ｄａｉｓｕの値より小さいので（ステップＳ１０３にてＮＯ）、判断部６２は、メモリ４６が記憶した情報ｔｅｌ＿ｉｎｆｏの値が「テレビ電話」を表わす値か否かを判断する（ステップＳ１０４）。この場合、情報ｔｅｌ＿ｉｎｆｏの値が「テレビ電話」を表わす値とすると（ステップＳ１０４にてＹＥＳ）、判断部６２は、テレビ電話専用着信機能が有効か否かを判断する（ステップＳ１０５）。この場合、テレビ電話専用着信機能は有効なので（ステップＳ１０５にてＹＥＳ）、判断部６２は、変数ｃｏｕｎｔの値に対応する電話機にテレビ電話としての機能があるか否かを判断する（ステップＳ１０７）。変数ｃｏｕｎｔの値に対応する電話機にテレビ電話としての機能があるとすると（ステップＳ１０７にてＹＥＳ）、ＬＡＮインターフェイス部３４またはアナログインターフェイス部３８は、ＬＡＮ制御部３６またはアナログ制御部４０の制御に応じて、呼出信号を送信する（ステップＳ１０６）。これにより、ＬＡＮインターフェイス部３４またはアナログインターフェイス部３８は、本実施の形態に係るＩＰ電話システムを構成する複数の電話機のいずれかである送信先の電話機が音声電話以外の電話機として動作する場合、送信先の電話機に対し、種類情報の内容に対応する呼出信号を送信するように、ＬＡＮインターフェイス部３４またはアナログインターフェイス部３８を制御することとなる。
【００８２】
呼出信号を送信した後、ステップＳ８８およびステップＳ１０３の処理を経て、判断部６２は、メモリ４６が記憶した情報ｔｅｌ＿ｉｎｆｏの値が「テレビ電話」を表わす値か否かを判断する（ステップＳ１０４）。この場合、情報ｔｅｌ＿ｉｎｆｏの値が音声電話を表わす値とすると（ステップＳ１０４にてＮＯ）、ステップＳ１０６およびステップＳ８８の処理を経て、ステップＳ１０３〜ステップＳ８８の処理が繰返される。
【００８３】
以上のようにして、本実施の形態に係るＩＰ電話システムは、予め記憶している電話機の機能（テレビ電話か音声電話か）を管理することにより、たとえばテレビ電話からの発信の場合には、テレビ電話の機能がない電話機には着信を通知しないようにすることができる。これにより、誤ってテレビ電話からの発信を音声電話で応答してしまうといった失敗を防ぐことができる。テレビ電話から着信した場合に見せたくない映像が映ってしまう失敗も回避できる。その結果、相手からの電話を複数の電話機で受け得る場合に、特に、音声電話でも相手からの電話を受け得る場合に、どの電話機で電話を受ければよいか、ユーザが容易かつ確実に判断できるホームゲートウェイとＩＰ電話システムとを提供することができる。
【００８４】
また、ホームゲートウェイと電話機とが予め通信することにより、ホームゲートウェイは、予めユーザが設定することなく、電話機の機能を表わす情報を記憶できる。その結果、相手からの電話を複数の電話機で受け得る場合にどの電話機で電話を受ければよいか、特段の操作をすることなく、ユーザが容易かつ確実に判断できるホームゲートウェイおよびＩＰ電話システムとを提供することができる。
【００８５】
また、変形例として、ホームゲートウェイ２６は、電話機の一部であってもよい。この場合、上述したＩＰ電話システムは、少なくとも１台の電話機と、ホームゲートウェイ２６を有する電話機とを含むこととなる。ホームゲートウェイ２６の表示部５０と音出力部５４とは、それぞれ電話機の一部として動作することとなる。この場合、中央制御部５８が、種類情報の内容に対応する呼出信号を音として出力するように、スピーカをはじめとする音出力部５４を制御することとなる。また、中央制御部５８が、発信元の電話機と通信する情報の種類に対応する情報を表示するように、表示部５０を制御したりすることとなる。
【００８６】
＜第３の実施の形態＞
以下、本発明の第３の実施の形態に係るＩＰ電話システムについて説明する。
【００８７】
本実施の形態に係るＩＰ電話システムを構成する各装置のハードウェア構成については前述の第１の実施の形態と同じである。それらについての機能も同じである。したがって、それらについての詳細な説明はここでは繰返さない。
【００８８】
図１６を参照して、ホームゲートウェイ２６で実行されるプログラムは、通知設定に関し、以下のような制御を実行する。
【００８９】
ステップＳ１１０にて、検出部４４が操作部４２に対するユーザの操作を検出すると、検出部４４は、ユーザが操作部４２に対してした操作の内容の情報を中央制御部５８に出力する。中央制御部５８は、「通知設定」を起動する。「通知設定」の起動とは、ホームゲートウェイ２６を構成する各部を次に述べる目的で中央制御部５８が制御することをいう。その目的は、発信元の電話機がテレビ電話か音声電話かを表わす情報を各電話機に通信することである。本実施の形態の場合、各電話機は、そのような情報を、ナンバーディスプレイ（登録商標）機能を用いて表示する。
【００９０】
ステップＳ１１２にて、表示制御部５２は、中央制御部５８の制御に応じて、「通知設定」のための画像を表示部５０に表示する。
【００９１】
ステップＳ１１４にて、ユーザは、「通知設定」の内容を表わす情報を、操作部４２に入力する。本実施の形態の場合、「通知設定」の内容を表わす情報は、発信元の電話機と通信する情報の種類に対応する情報の送信の要否を表わす。検出部４４が操作部４２に対するユーザの操作を検出すると、中央制御部５８はユーザの操作の内容に基づき、「通知設定」の内容を表わす情報をメモリ４６に記憶させる。
【００９２】
図１７を参照して、ホームゲートウェイ２６で実行されるプログラムは、種別情報の送出に関し、以下のような制御を実行する。なお、図１７に示すフローチャートの中で、前述の図３に示した処理は同じステップ番号を付してある。それらの処理も同じである。したがって、それらについての詳細な説明はここでは繰返さない。
【００９３】
ステップＳ１２０にて、メモリ４６は、本実施の形態に係るＩＰ電話システムを構成する各電話機の種類や接続形態を端末情報として記憶する。メモリ４６は、端末情報を、能力管理テーブル６０の一部として記憶する。これにより、メモリ４６は、本実施の形態に係るＩＰ電話システムを構成する電話機ごとに、旧来電話機か否かを表わす情報を記憶することとなる。本実施の形態の場合、データ制御部４８が、中央制御部５８の制御に応じ、ユーザによる操作部４２の操作に応じて端末情報をメモリ４６に記憶させていることとする。併せて、メモリ４６は、電話機の数を記憶する。メモリ４６が記憶する電話機の数は、本実施の形態に係るＩＰ電話システムを構成する電話機の数である。メモリ４６は、変数ｄａｉｓｕの値としてこの値を記憶する。
【００９４】
ステップＳ１２２にて、判断部６２は、発信者の電話番号を表わす情報とメディア情報とを識別する。発信元の電話番号とメディア情報とはＳＩＰデータ６７に含まれている。データ制御部４８は、発信者の電話番号を表わす情報をメモリ４６に記憶させる。
【００９５】
ステップＳ１２４にて、判断部６２は、メディア情報が「ｖｉｄｅｏ」を含むか否かを判断する。メディア情報が「ｖｉｄｅｏ」を含むと判断した場合（ステップＳ１２４にてＹＥＳ）、処理はステップＳ１２６へと移される。もしそうでないと（ステップＳ１２４にてＮＯ）、処理はステップＳ１２８へと移される。
【００９６】
ステップＳ１２６にて、データ制御部４８は、中央制御部５８の制御に応じて、メモリ４６に発信元の電話の種類がテレビ電話であることを表わす値を記憶させる。本実施の形態の場合、メモリ４６は、発信元の電話機を表わす情報を、変数ｔｅｌ＿ｉｎｆｏの値として記憶する。
【００９７】
ステップＳ１２８にて、データ制御部４８は、中央制御部５８の制御により、メモリ４６に対し、発信元の電話機の種類が音声電話であること（発信元の電話機と通信する情報に映像の情報が含まれないこと）を表わす値を記憶させる。メモリ４６は、その情報を、変数ｔｅｌ＿ｉｎｆｏの値として記憶する。ステップＳ１２４と、ステップＳ１２６と、ステップＳ１２８とにより、中央制御部５８は、発信元の電話機と通信する情報の種類に対応する情報を生成する。中央制御部５８は、ＷＡＮインターフェイス部３０がステップＳ７２にて受信した情報に基づいて、そのような情報を生成する。ＷＡＮインターフェイス部３０がステップＳ７２にて受信した情報は、通信する情報の種類と電話番号とを表わす情報である。
【００９８】
ステップＳ１２９にて、データ制御部４８は、中央制御部５８の制御に応じて、メモリ４６から変数ｃｏｕｎｔと変数ｄａｉｓｕとの値を読出す。データ制御部４８は、メモリ４６から読出した値を中央制御部５８に出力する。中央制御部５８の判断部６２は、変数ｃｏｕｎｔの値が変数ｄａｉｓｕの値より大きいか否かを判断する。変数ｃｏｕｎｔの値が変数ｄａｉｓｕの値より大きいと判断した場合（ステップＳ１２９にてＹＥＳ）、処理を終了する。もしそうでないと（ステップＳ１２９にてＮＯ）、処理はステップＳ１３０へと移される。
【００９９】
ステップＳ１３０にて、判断部６２は、変数ｃｏｕｎｔに対応する電話機が旧来電話機であるか否かを判断する。旧来電話機であると判断した場合（ステップＳ１３０にてＹＥＳ）、処理はステップＳ１３２へと移される。もしそうでないと（Ｓ１３０にてＮＯ）、処理はステップＳ１３４へと移される。
【０１００】
ステップＳ１３２にて、判断部６２は、メモリ４６が記憶した「通知設定」の内容を表わす情報に基づき、発信元の電話番号に種別情報を付加して表示するか否かを判断する。種別情報を表示すると判断した場合には（ステップＳ１３２にてＹＥＳ）、処理はステップＳ１３６へと移される。もしそうでないと（ステップＳ１３２にてＮＯ）、処理はステップＳ１３８へと移される。これにより、アナログ制御部４０は、次に述べる場合、発信元の電話機と通信する情報の種類に対応する情報を送信するように、アナログインターフェイス部３８を制御することとなる。その場合とは、後述するように、発信元の電話機と通信する情報の種類に対応する情報の送信が必要な場合である。アナログ制御部４０は、「通知設定」の内容を表わす情報に基づいて、発信元の電話機と通信する情報の種類に対応する情報の送信が必要か否かを判断できる。
【０１０１】
ステップＳ１３４にて、ＬＡＮ制御部３６は、中央制御部５８の制御に応じて、種別情報および発信元の電話機の電話番号を送信するように、ＬＡＮインターフェイス部３４を制御する。
【０１０２】
ステップＳ１３６にて、中央制御部５８は、種別情報の値がテレビ電話の機能を備えていることを表わす場合、アナログ制御部４０のバッファに、「７７７７」という文字列のデータを記憶させる。本実施の形態において、「７７７７」は発信元の電話機がテレビ電話機の機能を備えていることを表わす文字列である。出力された種別情報の値が音声電話の機能のみを備えていることを表わす場合、中央制御部５８は、アナログ制御部４０のバッファに、「５５５５」という文字列のデータを記憶させる。本実施の形態において、「５５５５」は発信元の電話機が音声電話の機能のみを備えていることを表わす文字列である。
【０１０３】
ステップＳ１３８にて、中央制御部５８は、アナログ制御部４０のバッファに発信元の電話機の電話番号を記憶させる。
【０１０４】
ステップＳ１３９にて、アナログ制御部４０は、送信先の旧来電話機２４に対し、送信元の電話機を表わす情報として、自らのバッファが記憶した情報を送信するように、アナログインターフェイス部３８を制御する。アナログ制御部４０のバッファが記憶した情報は、発信元の電話機と通信する情報の種類に対応する情報である。
【０１０５】
以上のような構造およびフローチャートに基づく、ホームゲートウェイ２６の動作について説明する。
【０１０６】
検出部４４が操作部４２に対するユーザの操作を検出すると、検出部４４は、ユーザが操作部４２に対してした操作の内容の情報を中央制御部５８に出力する。中央制御部５８は、「通知設定」を起動する（ステップＳ１１０）。「通知設定」が起動されると、表示制御部５２は、中央制御部５８の制御に応じて、「通知設定」のための画像を表示部５０に表示させる（ステップＳ１１２）。図１８は、表示部５０が表示した画像を表わす図である。
【０１０７】
画像が表示されると、ユーザは、「通知設定」の内容を表わす情報を、操作部４２に入力する。検出部４４が操作部４２に対するユーザの操作を検出すると、中央制御部５８はユーザの操作の内容に基づき、「通知設定」の内容を表わす情報をメモリ４６に記憶させる（ステップＳ１１４）。この場合、図１８に示すように、送信元の電話機がテレビ電話か音声電話かを通知させるための操作があったので、次の情報が記憶されたこととなる。その情報とは、情報の送信が必要であるという情報である。この時送信が必要される情報とは、情報の種類を表わす情報のことである。ここでいう情報の種類とは、発信元の電話機との間で通信する情報の種類のことである。
【０１０８】
そのような情報が記憶されると、メモリ４６は、本実施の形態に係るＩＰ電話システムを構成する各電話機の種類や接続形態を端末情報として記憶する（ステップＳ１２０）。図１９は、メモリ４６が記憶した、各電話機の種類（この場合、電話機の機能の種類）や接続形態を表わす図である。端末情報が記憶されると、ステップＳ７２の処理を経て、判断部６２は、発信者の電話番号を表わす情報とメディア情報とを識別する（ステップＳ１２２）。
【０１０９】
メディア情報が識別されると、ステップＳ７６〜ステップＳ８２の処理を経て、中央制御部５８の判断部６２は、変数ｃｏｕｎｔの値が変数ｄａｉｓｕの値より大きいか否かを判断する（ステップＳ１２９）。この場合、まだ変数ｃｏｕｎｔの値は変数ｄａｉｓｕの値より小さいので（ステップＳ１２９にてＮＯ）、判断部６２は、変数ｃｏｕｎｔに対応する電話機が旧来電話機であるか否かを判断する（ステップＳ１３０）。この場合、変数ｃｏｕｎｔに対応する電話機が旧来電話機とすると（ステップＳ１３０にてＹＥＳ）、判断部６２は、発信元の電話番号に種別情報を付加して表示するか否かを判断する（ステップＳ１３２）。種別情報がテレビ電話の機能を備えていることを表わし、かつ発信元の電話番号に種別情報を付加して表示する場合（ステップＳ１３２にてＹＥＳ）、中央制御部５８は、アナログ制御部４０のバッファに、「７７７７」という文字列のデータを記憶させる（ステップＳ１３６）。
【０１１０】
文字列のデータが記憶されると、アナログ制御部４０は、アナログインターフェイス部３８に、自らのバッファが記憶した情報を送信させる（ステップＳ１３９）。
【０１１１】
情報が送信されると、ステップＳ８８とステップＳ１２９との処理を経て、判断部６２は、変数ｃｏｕｎｔに対応する電話機が旧来電話機であるか否かを判断する（ステップＳ１３０）。この場合、電話機がＩＰ電話機と判断すると（ステップＳ１３０にてＮＯ）、ＬＡＮ制御部３６は、中央制御部５８の制御に応じて、種別情報および発信元の電話機の電話番号を送信するように、ＬＡＮインターフェイス部３４を制御する（ステップＳ１３４）。その後、いったんステップＳ８８の処理を経て、ステップＳ８４〜ステップＳ８８の処理が繰返される。
【０１１２】
以上のようにして、本実施の形態に係るホームゲートウェイは、送信元情報として、送信元の電話機がテレビ電話か音声電話かを表わす情報を送信する。そのような情報が送信された電話機は、送信元の電話機がテレビ電話か音声電話かを、ナンバーディスプレイ（登録商標）機能を用いて表示することができる。ナンバーディスプレイ（登録商標）を用いてそのような情報を表示させるので、既存の旧来電話機であっても発信元の電話機がテレビ電話か音声電話かをユーザに通知することができる。そのようなことをユーザに通知できるので、本実施の形態に係るホームゲートウェイおよびＩＰ電話システムは、相手からの電話を複数の電話機で受け得る場合にどの電話機で電話を受ければよいか、ユーザが容易かつ確実に判断できる。テレビ電話からの着信を音声電話で応答してしまうことにより音声のみが通話されてしまう問題や、テレビ電話から着信した場合に見せたくない映像が映ってしまう問題を回避できる。
【０１１３】
また、変形例として、ホームゲートウェイ２６は、電話機の一部であってもよい。この場合、上述したＩＰ電話システムは、少なくとも１台の電話機（この電話機は旧来電話機であってもなくてもよい）と、ホームゲートウェイ２６を有する電話機とを含むこととなる。ホームゲートウェイ２６の表示部５０と音出力部５４とは、それぞれ電話機の一部として動作することとなる。この場合、中央制御部５８が、発信元の電話機と通信する情報の種類に対応する情報を音声として出力するように、スピーカをはじめとする音出力部５４を制御したり、中央制御部５８が、発信元の電話機と通信する情報の種類に対応する情報を表示するように、表示部５０を制御したりすることとなる。
【０１１４】
＜第４の実施の形態＞
以下、本発明の第４の実施の形態に係るＩＰ電話システムについて説明する。
【０１１５】
本実施の形態に係るホームゲートウェイのハードウェア構成については前述の第１の実施の形態と同じである。それらについての機能も同じである。したがって、それらについての詳細な説明はここでは繰返さない。
【０１１６】
図２０を参照して、ホームゲートウェイ２６で実行されるプログラムは、通知設定に関し、以下のような制御を実行する。
【０１１７】
なお、図２０に示すフローチャートの中で、前述の図１６に示した処理は同じステップ番号を付してある。それらの処理も同じである。したがって、それらについての詳細な説明はここでは繰返さない。
【０１１８】
ステップＳ１４０にて、表示制御部５２は、「通知設定」の設定のための画像を表示部５０に表示させる。本実施の形態の場合、「通知設定」の設定のための画像は、発信元の電話機の電話番号のみを表示するか種別情報を付加して表示するかを設定するための画像である。
【０１１９】
ステップＳ１４２にて、検出部４４が操作部４２に対するユーザの操作を検出すると、中央制御部５８は検出部４４が検出したユーザの操作の内容を情報としてメモリ４６に記憶させる。
【０１２０】
図２１を参照して、ホームゲートウェイ２６で実行されるプログラムは、種別情報の送出に関し、以下のような制御を実行する。なお、図２１に示すフローチャートの中で、前述の図３、図１７に示した処理は同じステップ番号を付してある。それらの処理も同じである。したがって、それらについての詳細な説明はここでは繰返さない。
【０１２１】
ステップＳ１５２にて、発信元の電話機がテレビ電話であることを変数ｔｅｌ＿ｉｎｆｏの値が表わす場合、中央制御部５８は、変数ｔｅｌ＿ｉｎｆｏの値とメモリ４６が記憶した発信元の電話番号とに基づいて、文字列「７７７７」と発信元の電話機の電話番号とを表わす情報を生成する。「７７７７」は、本実施の形態の場合、発信元の電話機がテレビ電話であることを表わす。発信元の電話機が音声電話であることを変数ｔｅｌ＿ｉｎｆｏの値が表わす場合、中央制御部５８は、変数ｔｅｌ＿ｉｎｆｏの値とメモリ４６が記憶した発信元の電話番号とに基づいて、文字列「５５５５」と発信元の電話機の電話番号とを表わす情報を生成する。「５５５５」は、本実施の形態の場合、発信元の電話機が音声電話であることを表わす。アナログ制御部４０は、自らのバッファに自らが生成した情報を記憶させる。このようにして、中央制御部５８は、発信元の電話機と通信する情報の種類に対応する文字列と電話番号とを表わす情報を生成する。中央制御部５８は、発信元の電話機と通信する情報の種類と電話番号とを表わす情報に基づいて、そのような情報を生成する。
【０１２２】
以上のような構造およびフローチャートに基づく、ホームゲートウェイ２６の動作について説明する。
【０１２３】
ステップＳ１１０の処理を経て、表示制御部５２は、「通知設定」の設定のための画像を表示部５０に表示させる（ステップＳ１４０）。図２２はその画像を表わす図である。画像が表示されると、検出部４４は操作部４２に対するユーザの操作を検出する。中央制御部５８はユーザの操作の内容を情報としてメモリ４６に記憶させる（ステップＳ１４２）。
【０１２４】
ユーザの操作の内容が記憶されると、メモリ４６は、データ制御部４８の制御により、端末情報を記憶する。併せて、メモリ４６は、データ制御部４８の制御により、本実施の形態に係るＩＰ電話システムを構成する電話機の数を変数ｄａｉｓｕの値として記憶する（ステップＳ１２０）。
【０１２５】
情報が記憶されると、ステップＳ７２〜ステップＳ１３２の処理を経て、中央制御部５８は、変数ｔｅｌ＿ｉｎｆｏの値とメモリ４６が記憶した発信元の電話番号とに基づき、文字列「７７７７」または文字列「５５５５」と発信元の電話機の電話番号とを表わす情報を生成する。情報が生成されると、アナログ制御部４０は、自らのバッファに自らが生成した情報を記憶させる（ステップＳ１５２）。情報が記憶されると、いったんステップＳ１３９およびステップＳ８８の処理を経た後、ステップＳ８４〜ステップＳ８８の処理が繰返される。
【０１２６】
以上のようにして、本実施の形態に係るホームゲートウェイは、発信元を表わす情報として、発信元の電話番号に文字列を送信する。この時送信される文字列は、情報の種類（発信元の電話機と通信する情報の種類）を表わす文字列を付加した文字列である。これにより、着信を受ける電話機は、発信元の電話機と通信する情報の種類と電話番号とを同時にユーザに通知できる。また、発信元の電話機と通信する情報の種類を表わす文字列は、「５５５５」および「７７７７」（その他「０」〜「９」、「Ａ」、「Ｂ」、「Ｃ」、「Ｄ」、「＃」、および「＊」のいずれかを適宜組み合わせた文字列であってもよい）である。そのような文字列が用いられるので、旧式な電話機に対しても、情報の種類（発信元の電話機と通信する情報の種類）と電話番号とを同時にユーザに通知できる。本実施の形態に係るホームゲートウェイは、メモリが記憶した設定の内容に応じて、発信元の電話機と通信する情報の種類を表わす文字列を付加したりしなかったりすることができる。これにより、ユーザの利便性は向上する。その結果、相手からの電話を複数の電話機で受け得る場合にどの電話機で電話を受ければよいか、ユーザが容易に判断でき、かつ利便性が高いホームゲートウェイを提供することができる。テレビ電話からの着信を音声電話で応答してしまうことにより音声のみが通話されてしまう問題や、テレビ電話から着信した場合に見せたくない映像が映ってしまう問題を回避できる。
【０１２７】
また、変形例として、ホームゲートウェイ２６は、電話機の一部であってもよい。この場合、上述したＩＰ電話システムは、少なくとも１台の電話機（この電話機は旧来電話機であってもなくてもよい）と、ホームゲートウェイ２６を有する電話機とを含むこととなる。ホームゲートウェイ２６の表示部５０と音出力部５４とは、それぞれ電話機の一部として動作することとなる。この場合、中央制御部５８が、発信元の電話機と通信する情報の種類に対応する情報を音声として出力するように、スピーカをはじめとする音出力部５４を制御したり、中央制御部５８が、発信元の電話機と通信する情報の種類に対応する情報を表示するように、表示部５０を制御したりすることとなる。
【０１２８】
＜第５の実施の形態＞
以下、本発明の第５の実施の形態に係るＩＰ電話システムについて説明する。
【０１２９】
本実施の形態に係るホームゲートウェイのハードウェア構成については前述の第１の実施の形態と同じである。それらについての機能も同じである。したがって、それらについての詳細な説明はここでは繰返さない。
【０１３０】
図２３を参照して、ホームゲートウェイ２６で実行されるプログラムは、呼出信号の送出に関し、以下のような制御を実行する。
【０１３１】
なお、図２３に示すフローチャートの中で、前述の図１および図１７に示した処理は同じステップ番号を付してある。それらの処理も同じである。したがって、それらについての詳細な説明はここでは繰返さない。
【０１３２】
ステップＳ１６０にて、判断部６２は、メモリ４６が記憶する情報を参照することにより、変数ｃｏｕｎｔに対応する電話機の種別がテレビ電話か否かを判断する。種別がテレビ電話であると判断した場合に（ステップＳ１６０にてＹＥＳ）、処理はステップＳ１６２へと移される。もしそうでないと（ステップＳ１６０にてＮＯ）、処理はステップＳ１６４へと移される。
【０１３３】
ステップＳ１６２にて、アナログインターフェイス部３８は、アナログ制御部４０の制御に応じて、テレビ電話用の着信パターンにて呼出信号を送信する。
【０１３４】
ステップＳ１６４にて、アナログインターフェイス部３８は、アナログ制御部４０の制御に応じて、音声電話用の着信パターンにて呼出信号を送信する。
【０１３５】
以上のような構造およびフローチャートに基づく、ホームゲートウェイ２６の動作について説明する。
【０１３６】
ステップＳ１２０〜ステップＳ１３０の処理を経て、判断部６２は、メモリ４６が記憶する情報を参照することにより、変数ｃｏｕｎｔに対応する電話機の種別がテレビ電話か否かを判断する（ステップＳ１６０）。ステップＳ１６０に先立ち、ステップＳ１２４の処理を経ることにより、アナログ制御部４０と判断部６２とは、送信先の電話機が旧来電話であることをメモリ４６が記憶する情報が表わす場合、送信先の電話機に対し、種類情報の内容に対応する呼出信号を送信するように、アナログインターフェイス部３８を制御することとなる。この場合、種別がテレビ電話であるとすると（ステップＳ１６０にてＹＥＳ）、アナログインターフェイス部３８は、アナログ制御部４０の制御に応じて、テレビ電話用の着信パターンにて呼出信号を送信する（ステップＳ１６２）。
【０１３７】
呼出信号が送信されると、ステップＳ８８とステップＳ８４〜ステップＳ１３０の処理を経て、判断部６２は、メモリ４６が記憶する情報を参照することにより、変数ｃｏｕｎｔに対応する電話機の種別がテレビ電話か否かを判断する（ステップＳ１６０）。この場合、種別が音声電話であるとすると（ステップＳ１６０にてＮＯ）、アナログインターフェイス部３８は、アナログ制御部４０の制御に応じて、音声電話用の着信パターンにて呼出信号を送信する（ステップＳ１６４）。その後、いったんステップＳ８８の処理を経て、ステップＳ８４〜ステップＳ８８の処理が繰返される。
【０１３８】
以上のようにして、本実施の形態に係るホームゲートウェイは、発信元の電話機と通信する情報の種類（映像の情報を通信できるか否か）を呼出音のパターンで表現する。電話機と通信する情報の種類が呼出音のパターンで表現されるので、表示装置を搭載していない旧来電話機やナンバーディスプレイ（登録商標）に対応していない旧来電話機であっても発信元の電話機と通信する情報の種類をユーザに対し知らせることができる。その結果、新しく電話機を買い換えることなく、従来からある旧来電話機も使用でき、かつ相手からの電話を複数の電話機で受け得る場合にどの電話機で電話を受ければよいか、ユーザが容易に判断できるホームゲートウェイを提供することができる。
【０１３９】
また、変形例として、ホームゲートウェイ２６は、電話機の一部であってもよい。この場合、上述したＩＰ電話システムは、少なくとも１台の電話機（この電話機は旧来電話機であってもなくてもよい）と、ホームゲートウェイ２６を有する電話機とを含むこととなる。ホームゲートウェイ２６の表示部５０と音出力部５４とは、それぞれ電話機の一部として動作することとなる。この場合、中央制御部５８が、発信元の電話機と通信する情報の種類に対応する情報を音声として出力するように、スピーカをはじめとする音出力部５４を制御したり、中央制御部５８が、発信元の電話機と通信する情報の種類に対応する情報を表示するように、表示部５０を制御したりすることとなる。
【０１４０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１４１】
【図１】本発明の第１の実施の形態に係るＩＰ電話システムの全体構成図である。
【図２】本発明の第１の実施の形態に係るホームゲートウェイの機能ブロック図である。
【図３】本発明の第１の実施の形態に係る種類の通知処理の制御の手順を表わすフローチャートである。
【図４】本発明の第１の実施の形態に係るパケットのフォーマットを表わす図である。
【図５】ＳＩＰにおけるメソッドの一例を表わす図である。
【図６】ＳＩＰにおけるレスポンスの意味を表わす図である。
【図７】ＳＤＰのセッションに関する情報の代表的な冒頭部分を表わす図である。
【図８】ＳＤＰにおける情報の第１のフォーマットを表わす図である。
【図９】ＳＤＰにおける情報の第２のフォーマットを表わす図である。
【図１０】ＳＤＰにおける情報の第３のフォーマットを表わす図である。
【図１１】本発明の第１の実施の形態に係るＩＰ電話システムにおけるパケットのやり取りを表わす図である。
【図１２】本発明の第２の実施の形態に係るテレビ電話専用着信設定処理の制御の手順を表わすフローチャートである。
【図１３】本発明の第２の実施の形態に係る呼出信号の送出処理の制御の手順を表わすフローチャートである。
【図１４】本発明の第２の実施の形態に係る表示部が表示した画像の一例を表わす図である。
【図１５】本発明の第２の実施の形態に係るメモリが記憶した種別情報の一例を表わす図である。
【図１６】本発明の第３の実施の形態に係る通知設定処理の制御の手順を表わすフローチャートである。
【図１７】本発明の第３の実施の形態に係る種別情報の送出処理の制御の手順を表わすフローチャートである。
【図１８】本発明の第３の実施の形態に係る表示部が表示した画像の一例を表わす図である。
【図１９】本発明の第３の実施の形態に係るメモリが記憶した各電話機の種類や接続形態を表わす情報の一例を示す図である。
【図２０】本発明の第４の実施の形態に係る種別情報の送出処理の制御の手順を表わすフローチャートである。
【図２１】本発明の第４の実施の形態に係る電話番号の通知処理の制御の手順を表わすフローチャートである。
【図２２】本発明の第４の実施の形態に係る表示部が表示した画像の一例を表わす図である。
【図２３】本発明の第５の実施の形態に係る呼出信号の送出処理の制御の手順を表わすフローチャートである。
【符号の説明】
【０１４２】
２０，２７  テレビ電話機、２２，２８  音声電話機、２４  旧来電話機、２６  ホームゲートウェイ、２９  公衆網、３０  ＷＡＮインターフェイス部、３２  ＷＡＮ制御部、３４  ＬＡＮインターフェイス部、３６  ＬＡＮ制御部、３８  アナログインターフェイス部、４０  アナログ制御部、４２  操作部、４４  検出部、４６  メモリ、４８  データ制御部、５０  表示部、５２  表示制御部、５４  音出力部、５６  音制御部、５８  中央制御部、５９  メモリカード駆動装置、６０  能力管理テーブル、６２  判断部、６４  データリンク層ヘッダ、６５  ＩＰヘッダ、６６  ＵＤＰヘッダ、６７  ＳＩＰデータ、２００  メモリカード。
【図１】
0004671874.tif 000002
【図２】
0004671874.tif 000003
【図３】
0004671874.tif 000004
【図４】
0004671874.tif 000005
【図５】
0004671874.tif 000006
【図６】
0004671874.tif 000007
【図７】
0004671874.tif 000008
【図８】
0004671874.tif 000009
【図９】
0004671874.tif 000010
【図１０】
0004671874.tif 000011
【図１１】
0004671874.tif 000012
【図１２】
0004671874.tif 000013
【図１３】
0004671874.tif 000014
【図１４】
0004671874.tif 000015
【図１５】
0004671874.tif 000016
【図１６】
0004671874.tif 000017
【図１７】
0004671874.tif 000018
【図１８】
0004671874.tif 000019
【図１９】
0004671874.tif 000020
【図２０】
0004671874.tif 000021
【図２１】
0004671874.tif 000022
【図２２】
0004671874.tif 000023
【図２３】
0004671874.tif 000024